(57)【特許請求の範囲】
【請求項１】
ブルーレイディスクの記録面に光ビームを照射させる光源、及び前記記録面からの反射光を光電変換する光検出器を備えた光ピックアップと、
前記光電変換により得られた電気信号から、前記光検出器が受光した光量に対応する電気信号の総和を示す全反射信号、及び前記光検出器の受光領域を前記ブルーレイディスクのトラックの接線方向に対して二分割することにより形成される二受光領域の受光量の差を示すメインプッシュプル信号を生成する信号生成部とを備えた光ディスク装置において、
フォーカス調整時における前記全反射信号のゲイン設定値と、トラッキング調整時における前記全反射信号のゲイン設定値との比率を算出し、トラッキング調整時に検出された前記メインプッシュプル信号の振幅を前記比率で除算した値である逆算値を算出し、フォーカス調整時における前記全反射信号の最大値と前記逆算値との比率に基づいて前記ブルーレイディスクの種別を判別する判別部を備え、
前記判別部は、
フォーカス調整時における前記全反射信号の基準電位からの最大値をＦＳ、
トラッキング調整時における前記全反射信号の基準電位からの最大値をＴＳ、
前記メインプッシュプル信号の振幅をＭＰＰ、
前記逆算値をＭＰＰ’、としたとき、
ＦＳ／（ＭＰＰ／ＴＳ）、及びＦＳ／ＭＰＰ’
で算出される値に基づいて記録済の再生専用ディスクと、記録済の追記型または書き換え型ディスクのブルーレイディスク種別判別を行い、
更に、前記判別部は、前記ブルーレイディスクが備える複数の層に対してレーザ光を照射するよう前記光ピックアップに指示し、各層から得られた、前記全反射信号の基準電位からの最大値を加算し、前記加算により得られる値を前記ＦＳとして用いる、
ことを特徴とする光ディスク装置。
【請求項２】
前記判別部は、
ＦＳ／（ＭＰＰ／ＴＳ）で算出される値が予め定められた第一閾値を上回る場合に、前記ブルーレイディスクが再生専用ディスクであると判別する、請求項１に記載の光ディスク装置。
【請求項３】
前記判別部は、
ＦＳ／（ＭＰＰ／ＴＳ）で算出される値が予め定められた第二閾値を上回り、且つＦＳ／ＭＰＰ’で算出される値が予め定められた第三閾値を上回る場合に、前記ブルーレイディスクが二層構造の再生専用ディスクであると判別する、請求項２に記載の光ディスク装置。
【請求項４】
前記判別部は、
ＦＳ／（ＭＰＰ／ＴＳ）で算出される値が前記第二閾値を下回り、且つＦＳ／ＭＰＰ’で算出される値が前記第三閾値を下回る場合に、前記ブルーレイディスクが追記型ディスクまたは書き換え型ディスクであると判別する、請求項３に記載の光ディスク装置。
【発明の詳細な説明】
【技術分野】
【０００１】
本発明は、ブルーレイディスクの再生又は記録を行う光ディスク装置に関するものであり、特に再生又は記録に先立ってブルーレイディスクの種類を判別する光ディスク装置に関する。
【背景技術】
【０００２】
近年、光ディスクとしてブルーレイディスク（Blu-ray Disc：登録商標）が普及し、一般的に用いられるようになっている。そしてブルーレイディスクに対して音声情報や画像情報の記録／再生を行う光ディスク装置として、ブルーレイディスクプレイヤ、ブルーレイディスクレコーダ、或いはパソコンに接続されるブルーレイディスクドライブ等が実用化されている。
【０００３】
これらの光ディスク装置は、ブルーレイディスクに対して光ビームを照射して情報の読み取りを行うための、光ピックアップを備えている。光ピックアップは、ターンテーブル上に固定されて回転しているブルーレイディスクの情報記録面に対して光ビームを照射する。
【０００４】
そして情報記録面からの反射光を光ピックアップ内に設けられた光検出器、例えばフォトダイオードによって受光する。そして光検出器により光を電気信号に変換し、得られた電気信号に基づいてブルーレイディスクに記録されている情報を出力する。
【０００５】
しかしながらブルーレイディスクには多くの種類が存在する。従って一つの光ディスク装置で、複数種類のブルーレイディスクを記録／再生することが必要とされている。ブルーレイディスクの種類には、再生専用ディスクであるＢＤ−ＲＯＭ、追記型ディスクであるＢＤ−Ｒ（Blue-ray Disc Recordable）、書き換え型ディスクであるＢＤ−ＲＥ（Blue-ray Disc Rewritable）が存在する。
【０００６】
さらにＢＤ−Ｒには、記録層に有機系素材を使用し、レーザ光を照射して反射率を上げることで記録するＬｔＨ（Low to High）型のＢＤ−Ｒ（以下、「ＢＤ−Ｒ＿ＬｔＨ」という）が存在する。
【０００７】
また各種類のブルーレイディスクには、記録面が一層構造をしているディスクと、記録面が複数層構造をしているディスクとが存在する。なお以下では、一層構造をＳＬ（Single Layer）、二層構造をＤＬ（Double Layer）と表記する。例えば一層構造の追記型ディスクであれば、ＢＤ−Ｒ＿ＳＬと表記する。
【０００８】
このように、ブルーレイディスクの種類が多様化していることから、光ディスク装置においては、ブルーレイディスクの種類を事前に判別する必要がある。これは、ディスク種別に応じてトラッキング方式が違うためである。
【０００９】
上記の判別を行う方法として、フォーカスサーチ時の全反射信号の最大値（以下、「ＦＳ」という）、フォーカスオン後のメインプッシュプル信号の振幅（以下、「ＭＰＰ」という）、及びトラッキング経路における全反射信号の最大値（以下、「ＴＳ」という）の値を使用し、以下の計算式で算出される値に基づいて判別を行う方法が提案されている。
ＦＳ／（ＭＰＰ／ＴＳ）
ＭＰＰ／ＴＳ
【００１０】
上記の具体例を、図１２及び図１３を用いて説明する。図１２は、記録済みのブルーレイディスクにおけるＦＳ／（ＭＰＰ／ＴＳ）を示している。また図１３は、記録済みのブルーレイディスクにおけるＭＰＰ／ＴＳを示している。
【００１１】
なお図中の下方に記載されているのがブルーレイディスクの種別である。各種別の右上方に示されているグラフの値が、各種別に対応する算出値を示している。例えば図１２の破線円で囲まれたグラフの値が、ＢＤ−ＲＯＭ＿ＤＬにおけるＦＳ／（ＭＰＰ／ＴＳ）の算出値を示している。
【００１２】
図１２及び図１３に示す算出値により従来は、「閾値１よりも大、且つ閾値２より小」の場合に、種別がＢＤ−ＲＯＭであると判別していた。なお閾値１として、例えばＢＤ−ＲＯＭ＿ＳＬの平均値とＢＤ−ＲＥ＿ＳＬの平均値との中間値を用いる。また閾値２として、例えばＢＤ−ＲＯＭ＿ＤＬの平均値とＢＤ−ＲＥ＿ＤＬの平均値との中間値を用いる。
【００１３】
しかしながら上記の方法では、レーザダイオードの発光パワー（以下、「ＬＤパワー」という）のバラつきにより戻り光のレベルも変わるため、ＦＳもバラつきの影響を受ける。つまりＦＳ／（ＭＰＰ／ＴＳ）の値が大きくバラつく可能性があり、これが誤判別を引き起こす原因となっていた。
【００１４】
例えばＬＤパワーが低い場合、図１２の破線円に示すようにＢＤ−ＲＯＭ＿ＤＬの値が閾値１に近い値であるため、閾値１を下回る可能性があった。この結果、ＢＤ−ＲＯＭ＿ＤＬをＢＤ−Ｒ／ＲＥ系であると誤判別する可能性があった。なおＭＰＰ／ＴＳについては、値を正規化しているため、ＬＤパワーに起因する値のばらつきはほとんど発生しない。
【００１５】
上記の問題を解決するために特許文献１には、ブルーレイディスクより得られた全光量信号（＝全反射信号）のレベルと、メインプッシュプル信号の振幅の逆数と、記録面の層数とに基づいて、ブルーレイディスクの種別を判別する光ディスク装置が開示されている。
【先行技術文献】
【特許文献】
【００１６】
【特許文献１】特開２０１０−１４０５７０号公報
【発明の概要】
【発明が解決しようとする課題】
【００１７】
上記の特許文献１においては、所定の層より得られた全光量信号のレベルの最大値に層数を乗算した値を用いて、判別を行っている。しかしながら複数層のブルーレイディスクでは、層毎に全光量信号のレベルにばらつきがある可能性が高い。また、ディスク表面（＝カバー層）を記録層であると誤検知し、一層ディスクを二層ディスクであると誤認識する可能性もある。この結果、適切に種別を判別できず、ディスクの立ち上げに失敗することがあった。
【００１８】
本発明の目的は、ブルーレイディスクの種別を判別する判別処理において、ＬＤパワーのバラつきに起因する誤判別を低減するとともに、記録面の層数にかかわらず適切に判別を行うことが可能な光ディスク装置を提供することにある。
【課題を解決するための手段】
【００１９】
上記目的を達成するために本発明の光ディスク装置は、ブルーレイディスクの記録面に光ビームを照射させる光源、及び前記記録面からの反射光を光電変換する光検出器を備えた光ピックアップと、前記光電変換により得られた電気信号から、前記光検出器が受光した光量に対応する電気信号の総和を示す全反射信号、及び前記光検出器の受光領域を前記ブルーレイディスクのトラックの接線方向に対して二分割することにより形成される二受光領域の受光量の差を示すメインプッシュプル信号を生成する信号生成部とを備えた光ディスク装置において、フォーカス調整時における前記全反射信号のゲイン設定値と、トラッキング調整時における前記全反射信号のゲイン設定値との比率を算出し、トラッキング調整時に検出された前記メインプッシュプル信号の振幅を前記比率で除算した値である逆算値を算出し、フォーカス調整時における前記全反射信号の最大値と前記逆算値との比率に基づいて前記ブルーレイディスクの種別を判別する判別部を備えることを特徴としている。
【００２０】
この構成によると、本発明の光ディスク装置は、ブルーレイディスクの記録面に光ビームを照射させる光源と、記録面からの反射光を光電変換する光検出器とを備えた光ピックアップを備える。また、光電変換により得られた電気信号から、光検出器が受光した光量に対応する電気信号の総和を示す全反射信号と、トラックの接線方向に対して二分割することにより形成される二受光領域の受光量の差を示すメインプッシュプル信号とを生成する信号生成部を備える。また、フォーカス調整時における全反射信号のゲイン設定値と、トラッキング調整時における全反射信号のゲイン設定値との比率を算出し、トラッキング調整時に検出されたメインプッシュプル信号の振幅をこの比率で除算することにより、仮想的な値である逆算値を算出する、判別部を備える。判別部は、フォーカス調整時における全反射信号の最大値とこの逆算値との比率に基づいて、ブルーレイディスクの種別を判別する。
【００２１】
また上記目的を達成するために本発明の光ディスク装置が備える前記判別部は、フォーカス調整時における前記全反射信号の基準電位からの最大値をＦＳ、トラッキング調整時における前記全反射信号の基準電位からの最大値をＴＳ、前記メインプッシュプル信号の振幅をＭＰＰ、前記逆算値をＭＰＰ’、としたとき、ＦＳ／（ＭＰＰ／ＴＳ）、及びＦＳ／ＭＰＰ’で算出される値に基づいて前記ブルーレイディスクの種別を判別する。
【００２２】
この構成によると、判別部は、フォーカス調整時における全反射信号の基準電位からの最大値をＦＳ、トラッキング調整時における全反射信号の基準電位からの最大値をＴＳ、メインプッシュプル信号の振幅をＭＰＰ、逆算値をＭＰＰ’、とする。そしてＦＳ／（ＭＰＰ／ＴＳ）、及びＦＳ／ＭＰＰ’で算出される値に基づいて、ブルーレイディスクの種別を判別する、
【００２３】
また上記目的を達成するために本発明の光ディスク装置が備える前記判別部は、前記ブルーレイディスクが備える複数の層に対してレーザ光を照射するよう前記光ピックアップに指示し、各層から得られた、前記全反射信号の基準電位からの最大値を加算し、前記加算により得られる値を前記ＦＳとして用いる。
【００２４】
この構成によると、判別部は、ブルーレイディスクが備える複数の層に対してレーザ光を照射するよう、光ピックアップに指示する。そして各層から得られた、全反射信号の最大値を加算し、加算により得られる値をＦＳとして用いる。
【００２５】
また上記目的を達成するために本発明の光ディスク装置が備える前記判別部は、ＦＳ／（ＭＰＰ／ＴＳ）で算出される値が予め定められた第一閾値を上回る場合に、前記ブルーレイディスクが再生専用ディスクであると判別する。
【００２６】
この構成によると、判別部は、ＦＳ／（ＭＰＰ／ＴＳ）で算出される値が所定の第一閾値を上回る場合に、ブルーレイディスクが再生専用ディスクであると判別する。
【００２７】
また上記目的を達成するために本発明の光ディスク装置が備える前記判別部は、ＦＳ／（ＭＰＰ／ＴＳ）で算出される値が予め定められた第二閾値を上回り、且つＦＳ／ＭＰＰ’で算出される値が予め定められた第三閾値を上回る場合に、前記ブルーレイディスクが二層構造の再生専用ディスクであると判別する。
【００２８】
この構成によると、判別部は、ＦＳ／（ＭＰＰ／ＴＳ）で算出される値が所定の第二閾値を上回り、且つＦＳ／ＭＰＰ’で算出される値が所定の第三閾値を上回る場合に、ブルーレイディスクが二層構造の再生専用ディスクであると判別する。
【００２９】
また上記目的を達成するために本発明の光ディスク装置が備える前記判別部は、ＦＳ／（ＭＰＰ／ＴＳ）で算出される値が前記第二閾値を下回り、且つＦＳ／ＭＰＰ’で算出される値が前記第三閾値を下回る場合に、前記ブルーレイディスクが追記型ディスクまたは書き換え型ディスクであると判別する。
【００３０】
この構成によると、判別部は、ＦＳ／（ＭＰＰ／ＴＳ）で算出される値が第二閾値を下回り、且つＦＳ／ＭＰＰ’で算出される値が第三閾値を下回る場合に、ブルーレイディスクが追記型ディスクまたは書き換え型ディスクであると判別する。
【発明の効果】
【００３１】
本発明によれば、ＭＰＰをフォーカスサーチ時のゲイン設定で測定したと仮定した値であるＭＰＰ’を算出し、ＦＳ／ＭＰＰ’を用いてブルーレイディスクの種別を判別している。これにより、ディスク判別のための閾値を余裕をもって設定することができる。つまりＬＤパワーにばらつきが生じたとしても、誤判別を減らすことができる。
【００３２】
また本発明によれば、複数層のブルーレイディスクのＦＳを算出する際に、所定層の全反射信号の最大値に層数を乗算するのではなく、各層の全反射信号の最大値を加算してＦＳを算出している。これにより、複数の層において反射率が大きく異なるブルーレイディスクであっても、適格にその種別を判別することができる。
【図面の簡単な説明】
【００３３】
【図１】本発明の一実施形態に係る光ディスク装置の構成を示すブロック図である。
【図２】本発明の一実施形態に係る光ピックアップの光学系を示す模式図である。
【図３】フォーカスエラー信号と全反射信号の波形を示す模式図である。
【図４】記録済みディスクのＭＰＰ’を示したグラフ図である。
【図５】異なるレーザパワーにおけるＦＳ／ＭＰＰ’を示したグラフ図である。
【図６】記録済みディスクのＦＳ／（ＭＰＰ／ＴＳ）を示したグラフ図である。
【図７】記録済みディスクのＦＳ／ＭＰＰ’を示したグラフ図である。
【図８】未記録ディスクのＭＰＰ／ＴＳを示したグラフ図である。
【図９】本発明の一実施形態に係る判別処理の処理フローを示すフロー図である。
【図１０】記録済みディスクのＦＳを示したグラフ図である。
【図１１】記録済みディスクのＦＳ／（ＭＰＰ／ＴＳ）とＦＳとの関係を示したグラフ図である。
【図１２】従来のＦＳ／（ＭＰＰ／ＴＳ）と閾値との関係を示したグラフ図である。
【図１３】従来のＭＰＰ／ＴＳと閾値との関係を示したグラフ図である。
【発明を実施するための形態】
【００３４】
以下に本発明の実施形態を、図面を参照しながら説明する。なお、ここで示す実施形態は一例であり、本発明はここに示す実施形態に限定されるものではない。
〈１．内部構成について〉
【００３５】
図１は、本発明の一実施形態に係るディスクプレイヤ１００（＝光ディスク装置）を示す構成図である。ディスクプレイヤ１００は、光ピックアップ１、信号生成回路２１（＝信号生成部）、ＤＳＰ（Digital Signal Processor）３１、再生処理回路３２、出力回路３３、システムコントローラ４１（＝判別部）、ドライバ４２、表示部４３、操作部４４、記録部４５、送りモータ５１、及びスピンドルモータ５２を備えている。
【００３６】
光ピックアップ１は、ブルーレイディスク２に光ビームを照射して、ブルーレイディスク２に記録された音声情報、画像情報等の各種情報の読み取りを行う。この光ピックアップ１には、ＣＤ用光ビーム、ＤＶＤ用光ビーム、ブルーレイディスク 用光ビームが設けられている。なお、光ピックアップ１内部の詳細については後述する。
【００３７】
信号生成回路２１は、光ピックアップ１が含む光検出器１９（図２）により得られた信号をもとに演算処理を行い、ＲＦ信号、フォーカスエラー信号、トラッキングエラー信号、メインプッシュプル信号、及び全反射信号等の各種信号を生成する。そして生成した各種信号を、ＤＳＰ３１へ出力する。
【００３８】
ＤＳＰ３１は、信号生成回路２１より入力したＲＦ信号をもとに画像処理を行うことにより画像信号を生成し、再生処理回路３２へ与える。再生処理回路は、画像信号を不図示のモニタへ出力するためにＤ／Ａ変換処理を行う。変換処理により得られた信号は、出力回路３３により外部装置へ出力される。
【００３９】
またＤＳＰ３１は、信号生成回路２１より入力したフォーカスエラー信号やトラッキングエラー信号に基づいてサーボ信号を生成する。例えばトラッキングサーボを行うためのトラッキングサーボ信号や、フォーカスサーボを行うためのフォーカスサーボ信号を生成する。生成されたサーボ信号はドライバ４２へ与えられる。これにより例えば、光ピックアップ１が含む対物レンズ１７（図２）のフォーカス制御やトラッキング制御等が実施される。
【００４０】
システムコントローラ４１（＝判別部）は、ＤＳＰ３１を介して、光ピックアップ１、送りモータ５１、及びスピンドルモータ５２等の動作を制御する。またシステムコントローラ４１は、後術するディスク種別の判別処理を行う。なおシステムコントローラ４１は、例えば複数のマイクロプロセッサ等の演算処理装置上で所定のプログラムを実行することにより実現される。
【００４１】
システムコントローラ４１は、操作部４４からの情報を受け付けてＤＳＰ３１に伝送すると共に、ＤＳＰ３１から受けた情報を表示部４３に伝送する。またシステムコントローラ４１は、各種演算に用いる情報を、半導体記録媒体等からなる記録部４５に記録する。
【００４２】
ドライバ４２は、ＤＳＰ３１から与えられるサーボ信号等に基づいて、光ピックアップ１、送りモータ５１、及びスピンドルモータ５２の駆動を制御する。送りモータ５１は、光ピックアップ１をブルーレイディスク２の径方向に駆動する。スピンドルモータ５２は、ブルーレイディスク２を回転方向に駆動する。
〈２．光ピックアップの構成について〉
【００４３】
図２は、本発明の一実施形態に係る光ピックアップ１の光学系を示す概略図である。光ピックアップ１は、ブルーレイディスク２に対して、光ビームを照射して反射光を受光する。これにより、ブルーレイディスク２の記録面に記録されている情報を読み取る。
【００４４】
光ピックアップ１は、第一光源１１ａ（＝光源）と、第二光源１１ｂ（＝光源）と、ダイクロプリズム１２と、コリメートレンズ１３と、ビームスプリッタ１４と、立ち上げミラー１５と、液晶素子１６と、対物レンズ１７と、検出レンズ１８と、光検出器１９と、アクチュエータ２０とを備えている。
【００４５】
第一光源１１ａは、ＤＶＤに対応する６５０ｎｍ帯の光ビームと、ＣＤに対応する７８０ｎｍ帯の光ビームとを出射できるレーザダイオードである。第二光源１１ｂは、ブルーレイディスクに対応する４０５ｎｍ帯の光ビームを出射できるレーザダイオードである。
【００４６】
なお、本実施形態では、第一光源１１ａとして、２種類の波長の光ビームを出射できる二つの発光点を有する２波長一体型のレーザダイオードを用いているが、これに限られる趣旨ではなく、例えば単一の波長の光ビームのみを出射するレーザダイオードを用いても構わない。
【００４７】
ダイクロプリズム１２は、ＤＶＤ用の光ビームを出射する第一光源１１ａから出射される光ビームを透過し、ブルーレイディスク用の光ビームを出射する第二光源１１ｂから出射される光ビームを反射する。そして、第一光源１１ａ及び第二光源１１ｂから出射される光ビームの光軸を一致させる。ダイクロプリズム１２において、透過又は反射された光ビームは、コリメートレンズ１３に送られる。
【００４８】
コリメートレンズ１３は、ダイクロプリズム１２を透過した光ビームを平行光に変換する。ここで、平行光とは、第一光源１１ａ及び第二光源１１ｂから出射された光ビームの全ての光路が光軸とほぼ平行である光をいう。コリメートレンズ１３で平行光とされた光ビームは、ビームスプリッタ１４に送られる。
【００４９】
ビームスプリッタ１４は、入射する光ビームを分離する光分離素子として機能し、コリメートレンズ１３から送られてきた光ビームを透過して、ブルーレイディスク２側へと導くとともに、ブルーレイディスク２で反射された反射光を反射して光検出器１９側へと導く。ビームスプリッタ１４を透過した光ビームは、立ち上げミラー１５に送られる。
【００５０】
立ち上げミラー１５は、ビームスプリッタ１４を透過してきた光ビームを反射してブルーレイディスク２へと導く。立ち上げミラー１５は、ビームスプリッタ１４からの光ビームの光軸に対して４５°傾いた状態となっており、立ち上げミラー１５で反射された光ビームの光軸は、ブルーレイディスク２の記録面と略直交する。立ち上げミラー１５で反射された光ビームは、液晶素子１６に送られる。
【００５１】
液晶素子１６は、透明電極に挟まれた液晶（いずれも図示せず）に電圧を印加することで、液晶分子がその配向方向を変える性質を利用して、屈折率の変化を制御し、液晶素子６を透過する光ビームの位相の制御を可能とする素子である。
【００５２】
この液晶素子１６を配置することによって、ブルーレイディスク２の記録面を保護する樹脂層の厚みの違い等によって生じる球面収差の補正が可能となる。液晶素子１６を通過した光ビームは対物レンズ１７へと送られる。  
【００５３】
対物レンズ１７は、液晶素子１６を透過した光ビームをブルーレイディスク２の記録面上に集光させる。また、対物レンズ１７は後述するアクチュエータ２０によって、例えば、図２の上下方向及び左右方向に移動可能とされており、フォーカスサーボ信号及びトラッキングサーボ信号に基づいてその位置が制御される。
【００５４】
ブルーレイディスク２で反射された反射光は、対物レンズ１７、液晶素子１６の順に通過し、立ち上げミラー１５で反射された後、さらにビームスプリッタ１４で反射されて、検出レンズ１８によって光検出器１９上に設けられる受光素子へと集光される。
【００５５】
光検出器１９は、フォトダイオード等の受光素子を用いて受光した光を、電気信号に変換して信号生成回路２１へ出力する。光検出器１９は例えば四分割された受光領域を備えており、領域毎に個別に光電変換を行って電気信号を出力することが可能である。
【００５６】
アクチュエータ２０は、ドライバ４２で生成され出力された対物レンズ駆動信号に従って、対物レンズ１７をブルーレイディスク２の径方向に移動させる。アクチュエータ２０はそれには限定されないが、ここでは、永久磁石（不図示）によって形成される磁界内にコイル（不図示）に駆動電流を流し、ローレンツ力にて対物レンズ１７を駆動することができるものであってもよい。
【００５７】
またアクチュエータ２０は、対物レンズ１７をブルーレイディスク２の記録面に沿う方向に移動させるトラッキング動作の他に、対物レンズ１７より照射される光ビームの光軸が揺動するように対物レンズ１７を傾動させるチルト動作や、対物レンズ１７をブルーレイディスク２に対して接近離反するように移動させるフォーカス動作も行うことができる。
〈３．判別式について〉
【００５８】
次に、本発明の一実施形態に係るディスクプレイヤ１００が、ブルーレイディスクの種別を判別するために用いる判別式について、説明する。
【００５９】
本実施形態のシステムコントローラ４１は、以下の判別式を用いてブルーレイディスクの判別を行う。なお、α〜Δは後述する閾値を表している。
ＦＳ／（ＭＰＰ／ＴＳ）＞α・・（判別式Ａ）
ＭＰＰ／ＴＳ＞β・・・・・・・（判別式Ｂ）
ＦＳ／ＭＰＰ’＞γ・・・・・・（判別式Ｃ）
ＭＰＰ／ＴＳ＞Δ・・・・・・・（判別式Ｄ）
【００６０】
ＦＳは、フォーカスサーチ時における全反射信号の、基準電位からの最大値である。ＴＳは、トラッキング経路における全反射信号の、基準電位からの最大値である。ＭＰＰは、フォーカスオン後のメインプッシュプル信号の振幅を示す値である。
【００６１】
なおＦＳについては、ブルーレイディスクが複数層構造をしている場合、各層における全反射信号の最大値の和をＦＳとする。例えばブルーディスクが二層ディスクであると判別された場合、第一層の最大値と第二層の最大値とを加算した値をＦＳとする。
【００６２】
図３（ａ）は、フォーカスサーチ時のフォーカスエラー信号を、図３（ｂ）は、フォーカスサーチ時の全反射信号の波形を示している。フォーカスサーチ時はＬ０（＝第一層）に対してコリメータレンズ１３が調整された状態であるため、図３に示すように、Ｌ０の方が最大値が大きくなる。例えばＬ０が５００ｍＶ、Ｌ１（＝第二層）が１２０ｍＶである場合、ＦＳは６２０ｍＶとなる。
【００６３】
ＭＰＰ’（＝逆算値）は、ＭＰＰをフォーカスサーチ時のゲイン設定で測定したと仮定した場合に導き出される、仮想的な値である。従来のＭＰＰ測定の問題点として、測定値に各ディスクの特徴が出にくいということがあった。これはＭＰＰ測定を、フォーカスエラー信号等の振幅をターゲット調整した後に実施するためである。ターゲット調整により、光ピックアップ１からの信号が増幅回路にて数倍（倍率はディスク特性等によって異なる）に増幅される。従ってこの状態でＭＰＰを測定したとしても、測定値に各ディスクの特徴が出にくい。
【００６４】
そこで、ターゲット調整後に測定されるＭＰＰを、ターゲット調整時に用いられた倍率で除算することにより、各ディスクの特性が出やすいＭＰＰ’という値を考案した。
【００６５】
具体的には例えば、フォーカスサーチ時のゲイン設定が６ｄＢであり、この状態で計測されたＦＳが５００ｍＶであったとする。そしてフォーカス系調整を行うためのターゲット値が、７００ｍＶであることが仕様により定められていたとする。この場合、３ｄＢの増幅（＝１．４での乗算）を行う、ターゲット調整が実施される。この結果、ゲイン設定が６ｄＢから９ｄＢになる。この際、増幅に用いた３ｄＢという値を、記録部４５等に記録しておく。
【００６６】
フォーカス系調整が完了し、トラッキング系調整が実施されると、ＭＰＰの測定が行われる。ここで、測定されたＭＰＰが２００ｍＶであったとする。この場合、２００ｍＶを上記で記録したの３ｄＢで逆算し、フォーカスサーチ時のゲイン相当にまで減衰した値を算出する。これにより算出される値がＭＰＰ’であり、上記の例では２００ｍＶ／１．４から約１４０ｍＶとなる。
【００６７】
図４は、記録済みのブルーレイディスクにおけるＭＰＰ’の値の一例を示している。図４に示すように、ＢＤ−Ｒ＿ＬｔＨは他のブルーレイディスクよりもＭＰＰ’が比較的大きくなる傾向がある。また、同じＢＤ−ＲＯＭ系であっても、ＢＤ−ＲＯＭ＿ＳＬとＢＤ−ＲＯＭ＿ＤＬとの差が大きくなる傾向がある。
【００６８】
さらに、ＦＳをＭＰＰ’で除算することにより、ＬＤパワーのバラツキを吸収できる判別式Ｃを考案した。例えば上記の例では、ＦＳ／ＭＰＰ’＝５００／１４０＝３．７５となる。
【００６９】
ここで仮に、ＬＤパワーのばらつきにより、フォーカスサーチ時に計測されたＦＳが極端に大きく１０００ｍＶであったとする。この場合、ターゲット値が７００ｍＶであるため、ターゲット調整により−３ｄＢの増幅（＝１．４での除算）が行われる。この際、増幅に用いた−３ｄＢという値を、記録部４５等に記録しておく。
【００７０】
ターゲット調整後のＭＰＰは上記と同様に２００ｍＶであるため、２００ｍＶを上記で記録したの−３ｄＢで逆算、つまり３ｄＢだけ増幅させる。この結果ＭＰＰ’は、２００ｍＶ×１．４から２８０ｍＶとなる。従って、ＦＳ／ＭＰＰ’＝１０００／２８０＝３．７５となる。
【００７１】
このように、ＬＤパワーにばらつきが生じたとしても、ＦＳ／ＭＰＰ’の値はほぼ同じ値となる。このため、ばらつきの影響を受けることなく、ブルーレイディスクの判別を行うことができる。
【００７２】
図５は、記録済みのブルーレイディスクにおけるＦＳ／ＭＰＰ’を、レーザパワーを三段階に変更して算出した、三つのグラフを示している。図５に示すように、レーザパワーがノーマルである場合、レーザパワーを＋３ｄＢした場合、レーザパワーを−３ｄＢした場合の三パターンにおいて、それぞれのＦＳ／ＭＰＰ’の値はほぼ近似となっている。
【００７３】
次に、閾値α〜閾値Δについて説明する。図６は、記録済みのブルーレイディスクにおけるＦＳ／（ＭＰＰ／ＴＳ）の値の一例を示している。図６に示すように、ＢＤ−ＲＯＭ＿ＳＬは、図中のＢＤ−Ｒ＿ＬｔＨ〜ＢＤ−ＲＥ＿ＤＬ（以下、「ＢＤ−Ｒ／ＲＥ系」という）よりもＦＳ／（ＭＰＰ／ＴＳ）が比較的大きくなる傾向がある。
【００７４】
このため、ＢＤ−ＲＯＭ＿ＳＬの平均値とＢＤ−ＲＥ＿ＳＬ（またはＢＤ−Ｒ＿ＬｔＨ）の平均値との中間値を予め調査し、閾値α（＝第一閾値）として定めておく。なお、ＢＤ−ＲＥ＿ＳＬの平均値を用いるのは、ＢＤ−ＲＥ＿ＳＬがＢＤ−Ｒ／ＲＥ系の中で比較的大きな平均値をとるからである。
【００７５】
また、ＢＤ−ＲＯＭ＿ＤＬの平均値とＢＤ−Ｒ＿ＤＬの平均値との中間値を予め調査し、この中間値を閾値β（＝第二閾値）として定めておく。なお、一層系のＢＤ−Ｒ／ＲＥの平均値ではなくＢＤ−Ｒ＿ＤＬの平均値を用いるのは、後述する閾値γにより、ＢＤ−ＲＯＭ＿ＤＬと一層系のＢＤ−Ｒ／ＲＥとの判別が可能だからである。従ってここでは、一層系のＢＤ−Ｒ／ＲＥを考慮しないことにより、余裕を持って閾値βを設定できるようにしている。
【００７６】
また図７は、記録済みのブルーレイディスクにおけるＦＳ／ＭＰＰ’の値の一例を示している。図７に示すようにＢＤ−ＲＯＭ＿ＤＬは、一層系のＢＤ−Ｒ／ＲＥよりも、ＦＳ／ＭＰＰ’が比較的大きくなる傾向がある。このため、ＢＤ−ＲＯＭ＿ＤＬの平均値と、一層系のＢＤ−Ｒ／ＲＥの中で比較的平均値が高いＢＤ−ＲＥ＿ＳＬの平均値との中間値を予め調査し、この中間値を閾値γ（＝第三閾値）として定めておく。
【００７７】
また図８は、未記録のブルーレイディスクにおけるＭＰＰ／ＴＳの値の一例を示している。図８に示すように、ＢＤ−Ｒ＿ＬｔＨは他のＢＤ−Ｒ／ＲＥ系よりもＭＰＰ／ＴＳが比較的大きい。これは、Ｒ＿ＬｔＨが記録層に有機色素を使用しているため、他の無機系ディスクと特性が違うためである。
【００７８】
Ｒ＿ＬｔＨは、未記録で反射率小、記録済みで反射率大となるのが特徴である。図８は未記録のブルーレイディスクの値であり、且つＭＰＰ／ＴＳはＴＳを分母としている。このため、未記録状態において反射率小であるＢＤ−Ｒ＿ＬｔＨは、他のＢＤ−Ｒ／ＲＥ系よりもＭＰＰ／ＴＳが大きくなる。この特性を利用し、例えばＢＤ−Ｒ＿ＬｔＨの平均値とＢＤ−Ｒ＿ＤＬの平均値との中間値を予め調査し、閾値Δとして定めておく。
〈４．判別処理について〉
【００７９】
次に、本発明の一実施形態に係るブルーレイディスクの判別処理を、図９のフロー図を用いながら説明する。図９に示す本処理は、ディスクプレイヤ１００に対するブルーレイディスクの装着がシステムコントローラ４１により検知され、且つ立ち上げ処理の実行指示が検知された場合に開始される。
【００８０】
上記の指示を検知したシステムコントローラ４１はステップＳ１１０において、ブルーレイディスク２に対してフォーカスサーチ、フォーカス系調整、及びトラッキング系調整を行うことにより、各種信号の測定を行う。例えばフォーカスエラー信号、全反射信号信号、メインプッシュプル信号の測定を行う。そして測定した各種信号に基づいて、ＦＳ、ＭＰＰ、ＴＳ、及びＭＰＰ’の値を算出する。
【００８１】
次にシステムコントローラ４１はステップＳ１２０において、ブルーレイディスク２に照射した光ビームの反射率等に基づいて、ブルーレイディスクが記録済みであるか未記録であるかを判別する。
【００８２】
記録済みではない場合、後述するステップＳ１３１へ移行する。記録済みである場合、システムコントローラ４１はステップステップＳ１４０において、判別式Ａを用いた判別を行う。
【００８３】
判別式Ａを満たす場合、つまりＦＳ／（ＭＰＰ／ＴＳ）が閾値αを上回る場合、ＢＤ−ＲＯＭ＿ＳＬまたはＢＤ−ＲＯＭ＿ＤＬ（以下、「ＢＤ−ＲＯＭ系」という）であると判別する。この場合、システムコントローラ４１はステップＳ１５０において、ＢＤ−ＲＯＭ系用の調整処理、例えばトラッキング処理等を行い、ブルーレイディスクの立ち上げを行う。なお立ち上げ処理の詳細については従来技術と同様であるため、ここでは説明を省略する。
【００８４】
なおステップＳ１４０において上記の判別を行うのは、後述するステップＳ１４１において判別式Ｃを用いてさらにＢＤ−ＲＯＭ系を検出する際に、ＢＤ−ＲＯＭ＿ＳＬが閾値γに近い値をとるためである。従って閾値マージン確保するため、ＢＤ−ＲＯＭ＿ＳＬだけを先に判別し、除外することを目的としている。
【００８５】
判別式Ａを満たさない場合、システムコントローラ４１はステップＳ１４１において、判別式Ｂ及び判別式Ｃを用いた判別を行う。
【００８６】
判別式Ｂ及び判別式Ｃの両方を満たす場合、ＢＤ−ＲＯＭ＿ＤＬであると判別する。この場合、システムコントローラ４１はステップＳ１４２において、ＢＤ−ＲＯＭ＿ＤＬ用の各種調整を行い、ブルーレイディスクの立ち上げを行う。
【００８７】
判別式Ｂまたは判別式Ｃを満たさない場合、ＢＤ−Ｒ／ＲＥ系であると判別する。この場合、システムコントローラ４１はステップＳ１４３において、ＢＤ−Ｒ／ＲＥ系用の各種調整を行い、ブルーレイディスクの立ち上げを行う。
【００８８】
ステップＳ１３０に戻って説明を行うと、記録済みではない場合、システムコントローラ４１はステップステップＳ１３１において、判別式Ｄを用いた判別を行う。
【００８９】
判別式Ｄを満たす場合、ＢＤ−Ｒ＿ＬｔＨであると判別する。この場合、システムコントローラ４１はステップＳ１３２において、ＢＤ−Ｒ＿ＬｔＨ用の各種調整を行い、ブルーレイディスクの立ち上げを行う。
【００９０】
判別式Ｄを満たさない場合、ＢＤ−Ｒ＿ＬｔＨを除くＢＤ−Ｒ／ＲＥ系であると判別する。この場合、システムコントローラ４１はステップＳ１３３において、ＢＤ−Ｒ＿ＬｔＨを除くＢＤ−Ｒ／ＲＥ系用の各種調整を行い、ブルーレイディスクの立ち上げを行う。
【００９１】
以上に説明した本実施形態によれば、ＭＰＰをフォーカスサーチ時のゲイン設定で測定したと仮定した値であるＭＰＰ’を算出し、ＬＤパワーのバラつきにより値がばらつかないようにするため、正規化した判別式（＝判別式Ｃ）を用いてブルーレイディスクの種別を判別している。
【００９２】
このように判別式Ｂ及び判別式Ｃを用いた判別は、判別式Ａ（＝ステップＳ１４０）でＢＤ−ＲＯＭ系であると判別されなかったＢＤ−ＲＯＭ＿ＤＬを、検出するのに有効である。
【００９３】
つまり、まず判別式Ｂにより、ＢＤ−ＲＯＭ＿ＤＬと二層系のＢＤ−Ｒ／ＲＥとを判別する（図６）。そして判別式Ｃにより、ＢＤ−ＲＯＭ＿ＤＬと一層系のＢＤ−Ｒ／ＲＥとを判別する（図７）。これにより、各閾値の設定に余裕を持たせることができ、誤判別を減らすことが可能である。
【００９４】
また本実施形態によれば、複数層のブルーレイディスクのＦＳを算出する際に、所定層のＦＳの最大値に層数を乗算するのではなく、各層のＦＳの最大値を加算してＦＳを算出している。これにより、ＦＳの精度を向上させ、誤判別を低減することが可能である。
【００９５】
例えば従来は、「最も全反射信号が大きい層の最大値×層数」を使用していた。例えば、Ｌ０が５００ｍＶ  、Ｌ１が１２０ｍＶであれば、Ｌ０が最も大きい層であるため、Ｆｓ＝５００×２＝１０００となっていた。しかしこの方法では、ディスクの表面（カバー層）を記録面として誤検知した場合、一層ディスクであるにもかかわらず二層ディスクの計算（最大値×２）を行い、ディスク判別ミスが発生する可能性があった。
【００９６】
本実施形態のように各層の最大値を加算する方法では、例えカバー層を誤検知したとしても、カバー層の全反射信号（＝表面反射）は非常に小さいため（図３）、全反射信号の総和をとっても大きな誤差とならない。通常、ＢＤ−ＲＯＭ＿ＳＬのＦＳが５００ｍＶ以上あるのに対して、表面反射のＦＳは数ｍＶ程度である。
［その他の実施の形態］
【００９７】
以上、好ましい実施の形態及び実施例をあげて本発明を説明したが、本発明は必ずしも上記実施の形態及び実施例に限定されるものではなく、その技術的思想の範囲内において様々に変形して実施することができる。
【００９８】
従って本発明は、以下の形態にも適用可能である。
【００９９】
（Ａ）上記実施形態では、本発明の立ち上げ処理に関わる各機能がマイクロプロセッサ等の演算処理装置上でプログラムを実行することにより実現されているが、これら各機能が複数の回路により実現される形態でもよい。
【０１００】
（Ｂ）上記実施形態では、本発明の判別処理を行う光ディスク装置としてディスクプレイヤ１００を例示したが、これ以外の光ディスク装置において本発明を実施する形態でもよい。例えば、ブルーレイディスクに対して記録を行うブルーレイディスクレコーダにおいて実施する形態でもよい。
【０１０１】
（Ｃ）上記実施形態では、判別式ＡとしてＦＳ／（ＭＰＰ／ＴＳ）を用いているが、判別式ＡとしてＦＳを用いる形態でもよい。図１０は、記録済みのブルーレイディスクにおけるＦＳの値の一例を示している。また図１１は、ＦＳ／（ＭＰＰ／ＴＳ）とＦＳとの比較を示している。ただし図１１に示すように、ＢＤ−Ｒ＿ＬｔＨのＦＳとＢＤ−ＲＯＭ＿ＤＬのＦＳとが近い値となるため、ＢＤ−ＲＯＭ＿ＤＬを判別するための余裕がない。このため、ＢＤ−ＲＯＭ＿ＤＬを判別するための閾値βの設定においては、ＦＳではなくＦＳ／（ＭＰＰ／ＴＳ）を用いる方が有利である。
【符号の説明】
【０１０２】
１００    ディスクプレイヤ（光ディスク装置）
１        光ピックアップ
２        ブルーレイディスク
１１ａ    第一光源（光源）
１１ｂ    第二光源（光源）
１７      対物レンズ
１９      光検出器
２０      アクチュエータ
２１      信号生成回路（信号生成部）
３１      ＤＳＰ
４１      システムコントローラ（判別部）
４５      記録部
【図１】
0005273179.tif 000002
【図２】
0005273179.tif 000003
【図３】
0005273179.tif 000004
【図４】
0005273179.tif 000005
【図５】
0005273179.tif 000006
【図６】
0005273179.tif 000007
【図７】
0005273179.tif 000008
【図８】
0005273179.tif 000009
【図９】
0005273179.tif 000010
【図１０】
0005273179.tif 000011
【図１１】
0005273179.tif 000012
【図１２】
0005273179.tif 000013
【図１３】
0005273179.tif 000014